(57)【要約】【課題】  隙間を覆うサイドカバーを取り付ける際に、調理器本体の側面に設けられた凹部または穴部に、サイドカバーの裏面に設けられた凸部を嵌め込むか差し込む必要があったが、調理器本体の側面がサイドカバーによって目隠しされてしまうため、凹部と凸部の位置合わせが難しく、サイドカバーの取り付けに時間を要してしまうという問題があった。本発明は、カバーの取付けの際の位置決めが不要で、前面開口部の隙間にカバーを容易に取付けられ、短時間に設置できるようにするためのものである。【解決手段】  本体前面２ｆにカバー４７を備えた組込式の加熱調理器において、カバー４７には、本体前面２ｆの上方に位置する上カバー５０と、上カバー５０の両端に接続され本体前面２ｆの両側面２ａに位置し、下方側の間隔が上方側に比べて狭く配置されたサイドカバー４８とを設けたものである。【選択図】  図５
2014137146.tif 000002
【特許請求の範囲】
【請求項１】
流し台の上面開口部から挿入し、流し台の前面開口部に前部を臨ませ、前記前面開口部と前記前部の隙間を覆うカバーを装着して使用する組込式の加熱調理器であって、
該加熱調理器の側面には凹部が設けられており、
前記カバーは、
前記前部の上部を覆う上カバーと、
前記前部の側方の隙間を覆うサイドカバーと、
該サイドカバーに奥向きに設けられた押付部と、
該押付部に内向きに設けられた凸起と、で構成され、
前記凸起は、前記カバーの上カバーを正規の位置に取り付けたときに、前記凹部に嵌合する位置に設けられていることを特徴とする加熱調理器。
【請求項２】
請求項１に記載の加熱調理器において、
前記サイドカバーは、左サイドカバーと右サイドカバーとからなり、
両サイドカバーの間隔は上端よりも下端で狭いことを特徴とする加熱調理器。
【請求項３】
本体前面にカバーを備えた組込式の加熱調理器において、
前記カバーは、
前記本体前面の上方に位置する上カバーと、
該上カバーの両端に接続され前記本体前面の両側面に位置し、下方側の間隔が上方側に比べて狭く配置されたサイドカバーと、
で構成されることを特徴とする組込式の加熱調理器。
【発明の詳細な説明】
【技術分野】
【０００１】
本発明は、流し台に組み込んで使用する組込式の加熱調理器に関するものである。
【背景技術】
【０００２】
流し台に組み込んで使用する組込式の加熱調理器として、特許文献１に記載のものがある。この加熱調理器は、調理器本体を流し台の上面開口部から挿入し、流し台の前面開口部に調理器本体の前部を臨ませるように設置するものである。
【０００３】
一般に、上面開口部の幅Ａより前面開口部の幅Ｂが広いため（例えばＡ＝５６０ｍｍ、Ｂ＝６００ｍｍ）、前面開口部の左右には隙間（約２０ｍｍ）が生じる。そこで、特許文献１では、調理器本体の左右に生じる隙間にサイドカバーを差し込んで左右隙間を覆い隠している。
【先行技術文献】
【特許文献】
【０００４】
【特許文献１】特開２００５−１２１２６６号公報
【発明の概要】
【発明が解決しようとする課題】
【０００５】
特許文献１では、サイドカバーを取り付ける際に、調理器本体の側面に設けられた凹部または穴部に、サイドカバーの裏面に設けられた凸部を嵌め込むか差し込む必要があったが、調理器本体の側面がサイドカバーによって目隠しされてしまうため、凹部と凸部の位置合わせが難しく、サイドカバーの取り付けに時間を要してしまうという問題があった。
【課題を解決するための手段】
【０００６】
本発明は、上記の問題を解決するためになされたものであり、本体前面にカバーを備えた組込式の加熱調理器において、前記カバーには、前記本体前面の上方に位置する上カバーと、該上カバーの両端に接続され前記本体前面の両側面に位置し、下方側の間隔が上方側に比べて狭く配置されたサイドカバーとを設けたものである。
【発明の効果】
【０００７】
本発明によれば、カバーの取付けの際の位置決めが不要で、前面開口部の隙間にカバーを容易に取付けられ、短時間に設置できる。
【図面の簡単な説明】
【０００８】
【図１】一実施例の組込式加熱調理器をシステムキッチンに収納した状態の斜視図。
【図２】同組込式加熱調理器のプレートを外した状態を示す説明図。
【図３】同組込式加熱調理器の側面から見た主要断面図。
【図４】同組込式加熱調理器のカバーを取り付けた組込状態の斜視図。
【図５】同組込式加熱調理器のカバーの斜視図。
【図６】同組込式加熱調理器のカバーの正面図。
【発明を実施するための形態】
【０００９】
以下、本発明の実施例を、キッチンに嵌め込むビルトイン型加熱調理器を例に、上記図面に従って説明する。
【００１０】
図１から図３において、加熱調理器の本体２は、流し台であるシステムキッチン１の上面から落とし込んで設置することで組み込まれる。本体２をシステムキッチン１の上面開口部から挿入しシステムキッチン１の前面１ｃに設けた前面開口部１ｂに本体前面２ｆを臨ませて設置する。
【００１１】
調理を行う被加熱物の鍋（図示せず）は、本体２の上面に配置された耐熱ガラス等からなり光を透過するプレート３の載置部６に載置されることで調理可能となる。
【００１２】
載置部６は、本体２上面のプレート３の上面手前に載置部右６ａと載置部左６ｂが配置され、これら両載置部６ａおよび６ｂの間の奥（中央後部）に載置部中央６ｃが配置されている。そして、プレート３を挟んで各載置部６の下に鍋を加熱するための後述する加熱コイルユニット２５がそれぞれ設置されている。配置は、載置部右６ａの下方には加熱コイルユニット右２５ａが、載置部左６ｂの下方には加熱コイルユニット左２５ｂが、載置部中央６ｃの下方には加熱コイルユニット中央２５ｃが設けられている。
【００１３】
プレート３の周囲端面には、プレート３を保護するためにフレーム１４が設けられている。
【００１４】
本体２の内部には、加熱手段である後述する加熱コイルユニット２５や制御回路を構成する電子部品が設けられており、該加熱コイルユニット２５や制御回路の後方には、これらを冷却するための送風ファン２０と、本体２の外部から空気を吸込むための吸気口７及び冷却後の排気を排出する排気口８が設けられている。
【００１５】
前記吸気口７で吸入した空気は、本体２の内部で発熱する後述する加熱コイルユニット２５や電子部品を冷却した後に排気口８から本体２外に排出される。
【００１６】
また、本体２の本体前面２ｆの左側には、魚やピザなどを焼くためのロースター４が設けられている。
【００１７】
また、本体２の本体前面２ｆの右側には、前面パネル５が設けられている。前面パネル５の内部には、回転により収納する操作部５ａ（図４）を設けたものでも良い。
【００１８】
次に図２において被加熱物の鍋を加熱する加熱手段である加熱コイルについて説明する。
【００１９】
鍋（図示せず）を加熱するための加熱コイルユニット２５は、加熱コイル１３とコイルベース２４とフェライト（図示せず）から構成され、加熱コイル１３の略中央部の空間には、自動調理時など鍋の温度を検知する温度検知素子２１が取付けられている。
【００２０】
次に、図３において加熱コイル１３とインバータ基板の冷却について説明する。
【００２１】
インバータ基板は、左右の加熱コイル１３ａ、１３ｂを駆動するインバータ回路を搭載した左右インバータ基板１８と、加熱コイル中央１３ｃを駆動する中央インバータ基板１７とで構成されている。
【００２２】
該左右インバータ基板１８、中央インバータ基板１７は基板ケース２６内に配置され、電子部品で発熱した熱を効率よく送風ファン２０からの冷却風と熱交換して温度を下げるように放熱フィン２２、２３が設けられしている。
【００２３】
図１において、９は、加熱の設定などを操作する上面操作部９で、上面操作部９の奥側に加熱の設定などを表示する上面表示部１０を備える。
【００２４】
上面操作部９はプレート３の前面側に設けられ、載置部右６ａ、載置部中央６ｃ、載置部左６ｂに対応して右から、上面操作部右９ａ、上面操作部中央９ｃ、上面操作部左９ｂが配置されている。そして各上面操作部９の上側には上面表示部右１０ａ、上面表示部中央１０ｃ、上面表示部左１０ｂからなる上面表示部１０が設けられている。
【００２５】
図４から図６において、カバー４７について説明する。
【００２６】
図４は、カバー４７を取り付けた組込状態の斜視図で、図５は、カバー４７の斜視図、図６は、カバー４７の正面図である。
【００２７】
図４において、本体２の左右両側面２ａには、本体前面の近傍に凹部２ｂを備える。凹部２ｂは、左右両側面２ａの面を本体２内側へ座押しやビードによって凹みを設けたもので、加工後に、左右両側面２ａの面にはエッジが出ないで構成されたものである。こうする理由として、流し台への設置時に設置工事者などが手を切らないようにより安全性を高め、流し台へ接触時に流し台を傷つけることを防ぐ配慮からである。そして、後述するカバー４７を前面開口部１ｂの本体前面２ｆ側から取り付けるものである。
【００２８】
次に、図５を用いてカバー４７を説明する。カバー４７は、左サイドカバー４８ａ、上カバー５０、右サイドカバー４８ｂの三者で構成される下方が開放された略コ字状（或いは、略門構え状）のものであり、三者を一体に形成してもよいし、別個に形成した三者を接続部５０ａで接続して形成しても良い。なお、以下では、左サイドカバー４８ａと右サイドカバー４８ｂの両者をサイドカバー４８と称する。
【００２９】
同図に示すように、左サイドカバー４８ａの右側と右サイドカバー４８ｂの左側には、サイドカバー４８の前平面に垂直な押付部５１を奥向きに備える。この押付部５１の本体２側の面には複数の凸起５２を備える。この凸起５２は、上カバー５０を正規の位置に取り付けたときに、本体２の側面２ａに設けた凹部２ｂに嵌合する位置に設けられている。
【００３０】
図６はカバー４７を正面から見た平面図である。ここに示すように、本実施例のカバー４７では、サイドカバー４８の上端の間隔よりも下端の間隔が狭くなっている。一方、本体２の幅は上端と下端で略同一である。従って、カバー４７の上端ではサイドカバー４８の間隔と本体２の幅が略等しく、下側ではサイドカバー４８の間隔が本体２の幅よりも狭くなる。なお、図６はカバー４７の特徴を極端に示したものであり、後述の作用を奏する限度において、サイドカバー４８に与える傾きを小さくしてもよい。
【００３１】
このように、本実施例のカバー４７の下側ではサイドカバー４８の間隔が本体２の幅よりも狭いため、サイドカバー４８の下端を広げた後、カバー４７を本体２に装着する必要がある。サイドカバー４８の下端を広げると本体２を挟む方向に復元力が生じる。このとき、サイドカバー４８に垂直に設けられた押付部５１にも本体２を挟む方向の力が生じるため、本体２は押付部５１によって挟まれることになる。
【００３２】
本実施例は以上の構成よりなるもので、次にその動作について説明する。
【００３３】
システムキッチン１に組込まれ、前面開口部１ａにのぞんだ本体前面２ｆに、本体前面２ｆ側から、カバー４７のサイドカバー４８の下端を左右に広げて前面開口部１ａに挿入し、凹部２ｂに凸起５２を嵌合して、本体２を左右両側から挟み込んで固定する。このとき、上カバー５０を正規の位置に位置付けると、カバー４７の凸起５２と本体２の凹部２ｂが嵌合する位置となるので、カバー４７を本体２に容易に装着できる。
【００３４】
以上説明したように、本実施例によれば、本体２の左右側面２ａに凹部２ｂを備え、本体前面２ｆと前面開口部１ｂとの隙間を覆う門構え形のカバー４７を備え、カバー４７は左右のサイドカバー４８と上カバー５０で構成し、サイドカバー４８には奥行き方向に設けた押付部５１を備え、押付部５１は内側向きに複数の凸起５２を備え、凸起５２は凹部２ｂに嵌合してカバー４７が本体２を挟みこんで固定するので、カバー４７の取付けの際の位置決めが不要で、前面開口部１ａの隙間にカバー４７を容易に取付けられ、短時間に設置できる。
【００３５】
また、カバー４７の設置位置を合わせる際には、本体２にカバー４７を本体２を挟み込んで、上下と前後に微調整することで、カバー４７の凸起５２は本体２の凹部２ｂに嵌合する場所で位置が固定され、システムキッチン１の前面開口部１ａから、奥まった位置の設置においても容易に取付けができる。
【符号の説明】
【００３６】
１  流し台、１ａ  上面開口部、１ｂ  前面開口部、２  本体、２ａ  側面、
２ｂ  凹部、２ｆ  本体前面、３  プレート、９  上面操作部、
１３  加熱コイル、２５  加熱手段、４７  カバー、４８  サイドカバー
４８ａ  左サイドカバー、４８ｂ  右サイドカバー、５０  上カバー
５１  押付部、５２  凸起
【図１】
2014137146.tif 000003
【図２】
2014137146.tif 000004
【図３】
2014137146.tif 000005
【図４】
2014137146.tif 000006
【図５】
2014137146.tif 000007
【図６】
2014137146.tif 000008